(57)【要約】【課題】乗場表示装置の消費電力の低減を可能とするエレベータ装置を提供する。【解決手段】建物内のエレベータ乗場を含むセキュリティゾーンへの人の入退場を検出するとともに入退場者が立ち入ることを許可された着床階である利用許可階を特定し、特定した利用許可階に基づき利用階を判定するセキュリティシステムから、判定された利用階を表す情報を受け取る利用階認識手段と、それぞれの着床階のエレベータ乗場に設けられた乗場表示装置と、乗場表示装置を制御する表示装置制御手段とを備える。利用階認識手段は受け取った利用階を表す情報を表示装置制御手段に伝達し、表示装置制御手段は、利用階を表す情報に含まれる着床階の乗場表示装置を点灯させる。【選択図】図１
2012041143.tif 000002
【特許請求の範囲】
【請求項１】
建物内のエレベータ乗場を含むセキュリティゾーンへの人の入退場を検出するとともに入退場者が立ち入ることを許可された着床階である利用許可階を特定し、特定した利用許可階に基づき利用階を判定するセキュリティシステムから、判定された利用階を表す情報を受け取る利用階認識手段と、
それぞれの着床階のエレベータ乗場に設けられた乗場表示装置と、
前記乗場表示装置を制御する表示装置制御手段とを備え、
前記利用階認識手段は受け取った前記利用階を表す情報を前記表示装置制御手段に伝達し、
前記表示装置制御手段は、前記利用階を表す情報に含まれる着床階の乗場表示装置を点灯させることを特徴とするエレベータ装置。
【請求項２】
前記表示装置制御手段は、前記利用階情報に含まれている状態から含まれない状態になった着床階の前記乗場表示装置を消灯させることを特徴とする請求項１に記載のエレベータ装置。
【請求項３】
前記表示装置制御手段は、前記利用階認識手段によって受け取られた前記利用階情報に含まれない着床階の乗場表示装置を、前記利用階情報に含まれる着床階の乗場表示装置に比べて低輝度で点灯させることを特徴とする請求項１に記載のエレベータ装置。
【請求項４】
前記エレベータ装置は、乗りかご行先階登録手段から乗りかご行先階を表す乗りかご行先階登録情報と、前記利用階認識手段から前記利用階を表す情報を受け取り、前記乗りかご行先階が前記前記利用階を表す情報に含まれる着床階であるか否かを判定する乗りかご行先階登録判定手段を、さらに、備え、
前記乗りかご行先階登録判定手段は、前記乗りかご行先階が前記利用階を表す情報に含まれる着床階であると判定したときに、前記乗りかご行先階の情報を前記表示装置制御手段に伝達し、
前記表示装置制御手段は、前記乗りかご行先階登録判定手段から受け取った前記乗りかご行先階の情報で表される前記乗りかご行先階の乗場表示装置を点灯させることを特徴とする請求項１に記載のエレベータ装置。
【請求項５】
前記エレベータ装置は、予め定められたスケジュールにしたがって前記表示装置制御手段に点灯指示を出す点灯指示スケジュール手段、および管制運転状態であるか否かを判定し管制運転時に前記表示装置制御手段に点灯指示を出す管制運転判定手段の少なくとも一方を含む強制点灯指示生成手段を、さらに、備え、
前記点灯指示は、点灯させる前記表示装置が設けられている着床階を指定する予め定められた情報を含み、
前記表示装置制御手段は、前記強制点灯指示生成手段から出される前記点灯指示にしたがって、該当する着床階の前記表示装置を点灯させることを特徴とする請求項１または請求項２に記載のエレベータ装置。
【請求項６】
前記エレベータ装置は、乗場呼び登録の受付の可否を判断する乗場呼び登録受付判断手段を、さらに、備え、
前記乗場呼び登録受付判断手段は、乗場呼び登録を発出した着床階が前記利用階を表す情報に含まれる着床階ではないときに、前記乗場呼び登録を受け付けないことを特徴とする請求項１または請求項２に記載のエレベータ装置。
【請求項７】
建物内の一部を占めるゾーンの１または複数の出入り口のそれぞれを施錠する１または複数のロック装置すべての施錠状態を検出する装置から施錠状態検出情報を受け取る施錠状態認識手段と、
前記ゾーンがある着床階のエレベータ乗場に設けられた乗場表示装置と、
前記乗場表示装置を制御する表示装置制御手段とを備え、
前記施錠状態認識手段は受け取った施錠状態検出情報を前記表示装置制御手段に伝達し、
前記表示装置制御手段は、前記施錠状態認識手段から前記１または複数のロック装置の少なくとも１つが開錠されたことを表す施錠状態検出情報を受け取ったときに前記乗場表示装置を点灯させることを特徴とするエレベータ装置。
【請求項８】
前記表示装置制御手段は、前記施錠状態認識手段から前記１または複数のロック装置のすべてが施錠されたことを表す施錠状態検出情報を受け取ったときに前記乗場表示装置を消灯させることを特徴とする請求項７に記載のエレベータ装置。
【発明の詳細な説明】
【技術分野】
【０００１】
本発明の実施形態は、エレベータの乗場表示装置による電力消費を図るエレベータ装置に関する。
【背景技術】
【０００２】
従来、エレベータの各着床階の乗場に設けられる表示装置は、通常、常時点灯させる。このため、建物が高階床であって使用着床階が少数の状況においては、使用されていない着床階の乗場の表示装置によって無用な電力が消費されていた。
【０００３】
エレベータシステムにおける省エネを目的として、特許文献１には、乗場呼び登録によるサービスを終了した後に所定時間が経過した後に、表示装置を自動消去する発明が開示されている。この発明によると、乗りかごの位置に応じて乗場呼び登録の採否を判断しようとする利用者は、自動消灯後、エレベータの運行情報を得ることができない。また、乗場表示装置のＯＮ、ＯＦＦ頻度が増えることによって、乗場表示装置の寿命が短くなる。
【０００４】
また、特許文献２には、エレベータ乗場呼びおよび乗りかご呼びが所定時間継続して登録されないことを検知して乗りかごの照明を消灯するとともに、乗りかご内および乗場のモニタ装置を制御する発明が開示されている。この発明によると、エレベータの利用はしないがモニタを見ていた人は、呼びが所定時間継続して登録されないときには、エレベータ情報を得ることができない。
【０００５】
また、いずれの発明を実施するためには、所定時間の経過を検出する必要があり、ＯＦＦタイマ、リレー回路、配線を追加する必要があるという問題点もある。
【先行技術文献】
【特許文献】
【０００６】
【特許文献１】特公平７−２９７４７号公報
【特許文献２】特開平１１−２０９０３９号公報
【発明の概要】
【発明が解決しようとする課題】
【０００７】
本発明は、上記の問題点に鑑みてなされたもので、エレベータ乗場表示装置の消費電力の低減を可能とするエレベータ装置を提供することを目的とする。
【課題を解決するための手段】
【０００８】
本発明の実施形態によるエレベータ装置は、建物内のエレベータ乗場を含むセキュリティゾーンへの人の入退場を検出するとともに入退場者が立ち入ることを許可された着床階である利用許可階を特定し、特定した利用許可階に基づき利用階を判定するセキュリティシステムから、判定された利用階を表す情報を受け取る利用階認識手段を備える。この装置は、また、それぞれの着床階のエレベータ乗場に設けられた乗場表示装置と、乗場表示装置を制御する表示装置制御手段とを備える。利用階認識手段は受け取った利用階を表す情報を表示装置制御手段に伝達し、表示装置制御手段は、利用階を表す情報に含まれる着床階の乗場表示装置を点灯させる。
【図面の簡単な説明】
【０００９】
【図１】第１の実施形態および第２の実施形態におけるエレベータ装置の構成例を説明するための模式図である。
【図２】第１の実施形態における動作の一例を表すフローチャートである。
【図３】第２の実施形態における動作の一例を表すフローチャートである。
【図４】第３の実施形態におけるエレベータ装置の構成例を説明するための模式図である。
【図５】第３の実施形態における動作の一例を表すフローチャートである。
【図６】第４の実施形態におけるエレベータ装置の構成例を説明するための模式図である。
【図７】第５の実施形態におけるエレベータ装置の構成例を説明するための模式図である。
【図８】第５の実施形態における動作の一例を表すフローチャートである。
【図９】第６の実施形態におけるエレベータ装置の構成例を説明するための模式図である。
【発明を実施するための形態】
【００１０】
以下、適宜、図面を参照しながら本発明の一例としての実施形態の説明を行う。尚、図において、同一の参照符号は同一の部分または対応する部分を示す。
【００１１】
（第１の実施形態）
第１の実施形態について図１および図２を参照しながら説明を行う。図１に、第１の実施形態にしたがったエレベータ装置の構成例を説明するための模式図を示す。本実施形態において、エレベータ乗場はセキュリティゾーン内にある。一般者が立ち入ることができるゾーンからセキュリティゾーンに入るためには、例えば、ＲＦＩＤを内蔵するキーまたはカードを対応する読み取り装置によって読み取らせ、あるいは指紋等を認証する生体認証装置によって認証を受ける必要がある。このような認証を行う装置は、例えば、建物の出入り口がある階床の出入り口と、その階床のエレベータ乗場の間に設けられる。開錠検出装置１０２は、セキュリティゾーンへの入退場のための開錠操作が行われたことを検出する。開錠操作が行われたことを表す検出情報は、開錠検出装置１０２から利用階判定装置１０４に伝達される。利用階判定装置１０４は、開錠操作の際に入場者を特定し、特定した入場者の予め登録された利用許可階を特定する。本明細書において、ある者の利用許可階は、その者が立ち入ることを許可された着床階を意味する。入場者が、その建物に入居する機関に勤務する者である場合には、入場者の執務場所がある着床階、業務上関係がある部署のある着床階、共用会議室のある着床階、食堂施設がある着床階および建物の出入り口がある着床階を利用許可階とすることができる。入場者が、その建物に入居する機関に勤務する者ではない場合には、建物の出入り口近傍または建物がある敷地の出入り口近傍設けられた受付で登録された着床階を利用許可階とすることができる。開錠検出装置１０２と利用階判定装置１０４はセキュリティシステムを構成する。セキュリティシステムの利用階判定装置１０４は、特定した利用許可階に基づき利用階を判定する。すなわち、特定した利用許可階を利用許可階とする者が入場しているときには、その利用許可階を利用階と判定する。特定した利用許可階を利用許可階とする者が、全員、セキュリティゾーンから退出したときは、その利用許可階を非利用階と判定する。利用階判定装置１０４は、判定した利用階の情報をエレベータ制御装置１０６の利用階認識部１０８に伝達する。
【００１２】
エレベータ制御装置１０６の利用階認識部１０８は、利用階判定装置１０４によって判定された利用階情報を受け取り、受け取った利用階情報に基づき利用階を認識し、認識した利用階の情報をエレベータ乗場の表示装置制御部１１０に伝達する。表示装置制御部１１０は、建物内のエレベータ着床階のうち、受け取った利用階情報に含まれる利用階の乗場表示装置１１２に点灯指令を出し、利用階として認職された階の乗場表示装置１１２のみを点灯させる。ここで、乗場表示装置１１２は、例えば、乗場出入り口の上枠に設置されエレベータ乗りかごの位置等の情報を表示する乗場インジケータ、または通常ホールランタンと呼ばれ、乗場においてエレベータ乗りかごの到着予告と走行方向を表示する到着予告装置、あるいは乗場インジケータとホールランタンの両方を含む。
【００１３】
どの着床階が利用階になっているかという状況は、人がセキュリティゾーンに出入りすることによって変化する。開錠検出装置１０２と利用階判定装置１０４を含むセキュリティシステムは、入場者がセキュリティゾーンから退出する状況も監視することによって、絶えず、どの着床階が利用階になっているかという状況を把握し、判定した利用階の情報をエレベータ制御装置１０６の利用階認識部１０８に伝達する。今までは利用階であった階床を利用階とする者が全員、セキュリティゾーンから退出した場合し非利用階になった場合、表示装置制御部１１０は、その旨の利用階情報を利用階認識部１０８から受け取り、今まで点灯させていた乗場表示装置１１２に消灯指令を出し、消灯させる。
【００１４】
尚、エレベータ制御装置１０６は、通常、マイクロコンピュータ、ＲＯＭ、ＲＡＭまたは磁気記憶装置等のハードウェア資源と、制御に必要なソフトウェアを含む、いわゆる組み込みシステムによって実装することができる。このことは、本明細書で説明を行う、すべての実施形態においても同様である。
【００１５】
図２に、本実施形態における動作の一例を表すフローチャートを示す。Ｓ２０２で、開錠検出装置１０２は、セキュリティゾーンへ入場、またはセキュリティゾーンから退出する開錠操作が行われたことを検出し、検出情報を利用階判定装置１０４に伝達する。Ｓ２０４で、利用階判定装置１０４は、開錠操作の際に入退場者を特定し、特定した入退場者の予め登録された利用許可階を特定する。セキュリティシステムの利用階判定装置１０４は、特定した利用許可階に基づき利用階を判定し、利用階の情報をエレベータ制御装置１０６の利用階認識部１０８に伝達する。ここで、Ｓ２０２で検出された開錠操作がセキュリティゾーンへ入場するために行われたときには新たな利用階が追加されることがあり、開錠操作がセキュリティゾーンから退出するために行われたときには今まで利用階が非利用階になることがある。
【００１６】
エレベータ制御装置１０６の利用階認識部１０８は、利用階判定装置１０４から受け取った利用階情報をエレベータ乗場の表示装置制御部１１０に伝達する。Ｓ２０６で、表示装置制御部１１０は、建物内のエレベータ着床階のうち、利用階として認職された階の乗場表示装置１１２に点灯指令を出し、利用階として認職された階の乗場表示装置１１２を点灯させる。一実施形態において、表示装置制御部１１０は、利用階として認職された階の乗場表示装置１１２のみを点灯させる。すなわち、新たな利用階が追加されている場合には、その新たに追加された利用階の乗場表示装置１１２を点灯させ、今まで利用階であった着床階が非利用階になっている場合には、非利用階になった着床階の乗場表示装置１１２を消灯させる。その後、開錠検出装置１０２は、セキュリティゾーンへ入場、またはセキュリティゾーンから退出する開錠操作の監視を継続して行う。
【００１７】
本実施形態によれば、高階床の建物で利用階が少ない場合等に乗場表示装置の点灯が不要な階の乗場表示装置を点灯しないことにより、消費電力を削減することができる。
【００１８】
以降、いくつかの他の実施形態について述べるが、繁雑を避けることによって理解を容易にするために、本実施形態と異なる点を中心に説明を行う。
【００１９】
（第２の実施形態）
第２の実施形態にしたがったエレベータ装置の構成例は、図１に示した第１の実施形態における構成例と同様である。本実施形態について図３および図１を参照しながら説明を行う。図３に、本実施形態における動作の一例を表すフローチャートを示す。第２の実施形態においては、動作の点で、第１の実施形態と一部異なる。図３に示すように、Ｓ２０２ないしＳ２０６において、開錠検出装置１０２によって開錠操作を検出し、利用階判定装置１０４によって利用階を判定し、判定された利用階の乗場表示装置１１２を表示装置制御部１１０によって点灯する動作は、図２に示した第１の実施形態における動作と同一である。本実施形態においては、Ｓ３０８で、表示装置制御部１１０は、さらに、利用階として判定されなかった非利用階の乗場表示装置１１２を、利用階として判定された着床階の乗場表示装置１１２に比較して低輝度で点灯させる。その後、開錠検出装置１０２は、セキュリティゾーンへ入場、またはセキュリティゾーンから退出する開錠操作の監視を継続して行う。
【００２０】
第２の実施形態によれば、第１の実施形態による効果に加え、利用階として判定されなかった非利用階の乗場表示装置を低い輝度で点灯させることによって、階段を利用して非利用階から途中乗車を所望する入場者への乗りかごの位置表示や警備員による点検等を行うことができる。
【００２１】
（第３の実施形態）
第３の実施形態の構成は、第１の実施形態または第２の実施形態において、乗りかご呼び登録が行われた場合に対応するための構成要素をエレベータ制御装置１０６に追加したものである。図４に、第３の実施形態にしたがったエレベータ装置の構成例を説明するための模式図を示すが、図１に示した構成例に乗りかご行先階登録判定部４１４と乗りかご行先階登録装置４１６がエレベータ制御装置１０６に追加されている。前述したように、表示装置制御部１１０は、利用階認識部１０８によって認識された利用階情報を受け取り、利用階情報に基づいて乗場表示装置１１２を制御する。本実施形態において、表示装置制御部１１０は、利用階情報に加え、乗りかご行先階登録判定部４１４から出力される情報に基づいて乗場表示装置１１２を制御する。
【００２２】
入場者が乗りかご内で乗りかごの行先階を指定すると、乗りかご行先階登録装置４１６は、指定された階床を乗りかごの行先階として登録する。乗りかごの行先階の指定は、通常、乗りかご内に設けられた乗りかごの行先階ボタン等の押下によって行われる。乗りかご行先階登録装置４１６に登録された乗りかごの行先階登録情報は、乗りかご行先階登録判定部４１４に伝達される。乗りかご行先階登録判定部４１４には、利用階認識部１０８からの利用階情報も伝達される。乗りかご行先階登録判定部４１４は、受け取った乗りかごの行先階登録情報で表される行先階が、利用階情報に含まれる利用階であるか否かを判定する。換言すれば、受け取った乗りかご行先階登録情報が、非利用階への乗りかご呼び登録を表す情報であるか否かを判定する。非利用階への乗りかご呼び登録である場合には、乗りかご行先階登録判定部４１４は、乗場表示装置を点灯させるべき階床として乗りかご行先階の情報を表示装置制御部１１０に伝達する。表示装置制御部１１０は、利用階情報で表される利用階に加え、乗りかご行先階登録判定部４１４から出力される情報で表される乗りかご行先階の乗場表示装置１１２を点灯させる。
【００２３】
図５に、本実施形態における動作の一例を表すフローチャートを示す。第３の実施形態において、Ｓ２０２ないしＳ２０６の動作は図１に示した第１の実施形態における動作と同一である。本実施形態においては、Ｓ２０６に次いでＳ５１０で、乗りかご行先階登録判定部４１４は、乗りかご行先階登録装置４１６から伝達された乗りかご行先階登録情報で表される行先階が、利用階情報に含まれる利用階であるか否かを判定する。換言すれば、受け取った乗りかご行先階登録情報が、非利用階への乗りかご呼び登録を表す情報であるか否かを判定する。乗りかご行先階登録情報が非利用階への乗りかご呼び登録を表す情報であるとＳ５１０で乗りかご行先階登録判定部４１４によって判定されると、処理はＳ５１２に進む。Ｓ５１２において、乗りかご行先階登録判定部４１４は乗りかご行先階の情報を表示装置制御部１１０に伝達し、表示装置制御部１１０は受け取った乗りかご行先階情報で表される乗りかご行先階の乗場表示装置１１２を点灯させる。この結果、利用階と乗りかご行先階の乗場表示装置１１２が点灯する。次いで処理は、Ｓ２０４に戻る。
【００２４】
Ｓ５１０で、乗りかご行先階登録情報が、非利用階ではなく利用階への乗りかご呼び登録を表す情報であると乗りかご行先階登録判定部４１４によって判定されると、処理はＳ５１４に進む。Ｓ５１４で、利用階認識部１０８は、セキュリティシステムの利用階判定装置１０４から受け取られる判定された利用階情報に利用階が含まれているか否かを判断する。利用階情報に利用階が存在していることはセキュリティゾーン内に入場者が居ることを意味し、利用階情報に利用階が存在しないことはセキュリティゾーンから入場者全員が退出したことを意味する。したがって、Ｓ５１４における判断は、セキュリティゾーンから入場者全員が退出したか否かを判断することになる。Ｓ５１４で、入場者全員がセキュリティゾーンから退出していないと判断されると、処理はＳ２０６に戻る。
【００２５】
Ｓ５１４で、入場者全員がセキュリティゾーンから退出したと判断されると、処理はＳ５１６に進む。Ｓ５１６において、表示装置制御部１１０は、利用階情報に利用階が含まれておらず利用階は無い状態に応じて、点灯させていたすべての乗場表示装置１１２を消灯する。
【００２６】
本実施形態によれば、第１および第２の実施形態による効果に加えて、利用階として判定されていない着床階であっても、乗りかごの行先階の乗場表示装置を点灯することが可能となり、入場者の利便性が向上する。
【００２７】
（第４の実施形態）
第４の実施形態の構成は、第１の実施形態ないし第３の実施形態において、利用階であるか否かに関わらず、予め定めた着床階の乗場表示装置を点灯させるべく、点灯指示を生成し、点灯指示を表示装置制御装置に伝達する構成要素である強制点灯指示生成部６１８をエレベータ制御装置１０６に追加したものである。図６に、第４の実施形態にしたがったエレベータ装置の構成例を説明するための模式図を示すが、図１に示した構成例に強制点灯指示生成部６１８を構成する点灯指示スケジュール部６２０と管制運転判定部６２２が追加されている。点灯指示スケジュール部６２０と管制運転判定部６２２は、例示であって、強制点灯指示生成部６１８に他の形態の点灯指示生成機能部を含めることができる。また、点灯指示スケジュール部６２０および管制運転判定部６２２のいずれか一方によって、強制点灯指示生成部６１８を構成してもよい。さらに、図示しないが、図４に示した第３の実施形態の構成例のエレベータ制御装置１０６に強制点灯指示生成部６１８を追加した構成としてもよい。前述したように、表示装置制御部１１０は、利用階認識部１０８によって認識された利用階情報を受け取り、利用階情報に基づいて乗場表示装置１１２を制御する。本実施形態においては、表示装置制御部１１０は、利用階情報に加え、所定の場合に強制点灯指示生成部６１８から出力される点灯指示にしたがって予め定めた着床階の乗場表示装置を点灯させる。
【００２８】
強制点灯指示生成部６１８の点灯指示スケジュール部６２０は、予め定められたスケジュールにしたがって表示装置制御部１１０に点灯指示を出す。予め定められたスケジュールは、例えば、点灯指示スケジュール部６２０がアクセス可能な記憶装置に予め保存されている。また、点灯指示スケジュール部６２０は、エレベータ制御装置１０６が備える、例えば、リアルタイムクロック（ＲＴＣ）にアクセス可能であり、現在の時刻、日時、曜日等を把握している。点灯指示スケジュール部６２０は、ＲＴＣを参照しつつ、予めスケジューリングされた時に表示装置制御部１１０に点灯指示を出す。この点灯指令には、点灯させる表示装置１１２が設けられている着床階を指定する予め定められた情報を含ませることができる。予め定められたスケジュールは、多くの入場者がエレベータを利用する時間帯に設定すると効果的であるが、エレベータ装置が設置されている建物ごとに適切に定めることができる。例えば、建物に入居している機関の昼の休憩時間帯あるいは定時業務の終了時間帯を、点灯指示を出す時にスケジューリングする。昼の休憩時間帯、定時業務の終了時間帯は建物に入居している複数の機関ごとに、あるいは１つの機関であっても階床ごとに異なる場合がある。例えば、建物内の食堂施設の処理能力等の問題から、奇数階の昼の休憩時間が１１時４５分から１２時３０分であり、偶数階の昼の休憩時間が１２時１５分から１３時である場合がある。このような場合には、１１時４５分から１２時３０分の時間帯に奇数階の表示装置１１２を点灯させる点灯指示を出し、１２時１５分から１３時の時間帯に偶数階の表示装置１１２を点灯させる点灯指示を出すようにすることができる。但し、建物の出入り口がある階床および食堂施設等の共用施設がある階床については、１１時４５分から１３時の時間帯に表示装置１１２を点灯させる点灯指示を出すことが適切である。換言すると、点灯指示に、点灯させる表示装置１１２が設けられている着床階を指定する、予め定められた情報を含める。この着床階に関する予め定められた情報は、予め定められたスケジュールに関連付けて、例えば、点灯指示スケジュール部６２０がアクセス可能な記憶装置に予め保存しておけばよい。尚、すべての着床階の表示装置１１２を一括して点灯させる点灯指示を出すこともできるが、この場合は、点灯指示で、すべての着床階を指定しておけばよい。定時業務の終了時間帯についても昼の休憩時間帯と同様である。
【００２９】
強制点灯指示生成部６１８の管制運転判定部６２２は、管制運転制御部６２４から伝達される管制運転状況に関する情報に基づき、管制運転状態であるか否かを判定し、管制運転状態であると判定すると、表示装置制御手段１１０に点灯指示を出す。管制運転は、火災、地震等の災害時に行われるため、管制運転が実行されるタイミングを予知することはできない。また、災害が発生している状況であり、入場者が罹災する虞があるため、すべての着床階の表示装置１１２を一括して点灯させる点灯指示を出すことが好ましい。この場合は、前述したように、点灯指示で、すべての着床階を指定しておけばよい。
【００３０】
点灯指示スケジュール部６２０あるいは管制運転判定部６２２等を含む強制点灯指示生成部６１８から出される点灯指示を受け取ると、表示装置制御手段１１０は、強制点灯指示生成部６１８から出される点灯指示にしたがって、該当する着床階の表示装置１１２を点灯させる。すなわち、表示装置制御部１１０は、点灯指示で指定された着床階の表示装置１１２を、点灯指示が出されている時間にわたって、点灯させる。前述したように、表示装置制御部１１０は、利用階を表す情報を受け取り、利用階を表す情報に含まれる着床階の乗場表示装置を点灯させているが、強制点灯指示生成部６１８から出される点灯指示を、利用階を表す情報に優先して処理する。すなわち、利用階であるか否かに関わらず、点灯指示にしたがって点灯指示で指定された着床階の表示装置１１２を、点灯指示が出されている時間にわたって、点灯させる。この結果、点灯指示が出された時点で利用階と判定されていた着床階の表示装置１１２は、引き続き点灯し、利用階ではないと判定されていた着床階であって点灯指示で指定された着床階の表示装置１１２が消灯あるいは低輝度で点灯されていた状態から通常の輝度で点灯する。
【００３１】
本実施形態によれば、第１ないし第３の実施形態による効果に加えて、昼の休憩時間帯、業務終了時間帯等の多数の入場者がエレベータを利用する時間帯や、管制運転が行われる緊急の状況において、乗りかごの位置等を乗場表示装置によって表示することができ、この結果、入場者の利便性が向上する。
【００３２】
（第５の実施形態）
第５の実施形態の構成は、第１の実施形態ないし第４の実施形態において、乗場呼び登録が行われた場合に対応するための構成要素をエレベータ制御装置１０６に追加したものである。図７に、第５の実施形態にしたがったエレベータ装置の構成例を説明するための模式図を示すが、図１に示した構成例に乗場呼び登録受付判断部７２６がエレベータ制御装置１０６に追加されている。また、図示しないが、図４に示した第３の実施形態の構成例のエレベータ制御装置１０６または図６に示した第４の実施形態の構成例のエレベータ制御装置１０６に乗場呼び登録受付判断部７２６を追加した構成としてもよい。
【００３３】
入場者が、ある着床階の乗場で、乗場呼びボタン７２８を押下すると、乗場呼び登録が発出され、乗場呼び登録受付判断部７２６は、乗場呼び登録を発出した着床階を特定する。また、乗場呼び登録受付判断部７２６は、利用階認識部１０８から利用階を表す情報を取得する。さらに、乗場呼び登録受付判断部７２６は、特定した乗場呼び登録を発出した着床階が利用階認識部１０８から取得した利用階を表す情報に含まれるか否かを判断する。換言すると、乗場呼び登録受付判断部７２６は、乗場呼び登録を発出した着床階が利用階であるか否かを判断する。乗場呼び登録を発出した着床階が利用階を表す情報に含まれる着床階ではない、すなわち利用階ではないと判断すると、乗場呼び登録受付判断部７２６は、当該乗場呼び登録を受け付けない。換言すると、非利用階から発出された乗場呼び登録の受付を不許可とする。
【００３４】
図８に、本実施形態における動作の一例を表すフローチャートを示す。本実施形態において、Ｓ２０２ないしＳ２０６の動作は図１に示した第１の実施形態における動作と同一である。本実施形態においては、Ｓ２０６に次いでＳ８１８で、乗場呼び登録受付判断部７２６は、乗場呼び登録の有無を判定する。乗場呼び登録があるときは、Ｓ８２０で、乗場呼び登録が利用階から発出されたか否かを判断する。この判断は、前述したように、乗場呼び登録を発出した着床階が利用階認識部１０８から取得した利用階を表す情報に含まれるか否かを判断することによって行われる。Ｓ８２０で、乗場呼び登録が利用階から発出されたものではなく、非利用階から発出されたと判断されると、処理はＳ８２２に進む。Ｓ８２２で、乗場呼び登録受付判断部７２６は、乗場呼び登録の受付を不許可とする。次いで処理はＳ５１４に進む。
【００３５】
Ｓ８２０で、乗場呼び登録が利用階から発出されたものであると判断されると、処理は直接Ｓ５１４に進む。Ｓ５１４で、利用階認識部１０８は、セキュリティシステムの利用階判定装置１０４から受け取られる判定された利用階情報に利用階が含まれているか否かを判断する。前述したように、利用階情報に利用階が存在していることはセキュリティゾーン内に入場者が居ることを意味し、利用階情報に利用階が存在しないことはセキュリティゾーンから入場者全員が退出したことを意味する。したがって、Ｓ５１４における判断は、セキュリティゾーンから入場者全員が退出したか否かを判断することになる。Ｓ５１４で、入場者全員がセキュリティゾーンから退出していないと判断されると、処理はＳ２０６に戻る。
【００３６】
Ｓ５１４で、入場者全員がセキュリティゾーンから退出したと判断されると、処理はＳ５１６に進む。Ｓ５１６において、表示装置制御部１１０は、利用階情報に利用階が含まれておらず利用階は無い状態に応じて、点灯させていたすべての乗場表示装置１１２を消灯する。
【００３７】
本実施形態によれば、第１ないし第４の実施形態による効果に加えて、防犯性を高めることができる。
【００３８】
（第６の実施形態）
第６の実施形態について図９を参照しながら説明を行う。図９に、第６の実施形態にしたがったエレベータ装置の構成例を説明するための模式図を示す。本実施形態においては、前述した５つの実施形態とは異なり、建物全体のセキュリティゾーンとは異なり、建物内の一部を占めるゾーンがセキュリティゾーンとなっている。建物内の一部を占めるゾーンは、ある着床階の一部であってもよく、１つの着床階の全部であってもよく、複数の階にわたるゾーンであってもよい。建物内の一部を占めるゾーンには、１または複数の出入り口がある。各出入り口には、それぞれの出入り口に対応し、出入り口を施錠する出入り口ロック装置９３０が設けられ、セキュリティを確保している。施錠状態検出装置９３２は、１または複数の出入り口ロック装置９３０すべての施錠状態を検出する。エレベータ制御装置１０６の施錠状態認識部９３４は、施錠状態検出装置９３２から施錠状態検出情報を受け取る。施錠状態認識部９３４は、受け取った施錠状態検出情報を、ゾーンがある着床階のエレベータ乗場に設けられた乗場表示装置１１２を制御する表示装置制御部１１０に伝達する。表示装置制御部１１０は、施錠状態認識部９３４から１または複数の出入り口ロック装置９３０の少なくとも１つが開錠されたことを表す施錠状態検出情報を受け取ったときに乗場表示装置１１２を点灯させる。
【００３９】
また、表示装置制御部１１０は、施錠状態認識部９３４から１または複数の出入り口ロック装置９３０のすべてが施錠されたことを表す施錠状態検出情報を受け取ったときに乗場表示装置１１２を消灯させる。
【００４０】
本実施形態によれば、建物内の一部を占めるゾーンが位置する着床階の乗場表示装置の点灯／消灯制御を、ゾーンの出入り口の施錠状態に基づいて、容易に実行することができる。
【００４１】
以上述べた実施形態によれば、各着床階に設けられる乗場表示装置を、その乗場表示装置が設置された着床階が使用中であるか否かに応じて点灯／消灯することによって、効果的に乗場表示装置の消費電力の低減を図ることができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４３】
１０２・・・開錠検出装置、  １０４・・・利用階判定装置、
１０６・・・エレベータ制御装置、  １０８・・・利用階認識部、
１１０・・・表示装置制御部、  １１２・・・乗場表示装置、
４１４・・・乗りかご行先階登録判定部、  ４１６・・・乗りかご行先階登録装置、
６１８・・・強制点灯指示生成部、  ６２０・・・点灯指示スケジュール部、
６２２・・・管制運転判定部、  ６２４・・・管制運転制御部、
７２６・・・乗場呼び登録受付判断部、  ７２８・・・乗場呼びボタン、
９３０・・・出入り口ロック装置、  ９３２・・・施錠状態検出装置、
９３４・・・施錠状態認識部
【図１】
2012041143.tif 000003
【図２】
2012041143.tif 000004
【図３】
2012041143.tif 000005
【図４】
2012041143.tif 000006
【図５】
2012041143.tif 000007
【図６】
2012041143.tif 000008
【図７】
2012041143.tif 000009
【図８】
2012041143.tif 000010
【図９】
2012041143.tif 000011